(57)【要約】  昇降体の上に取り付けられるプーリの取り付けに関して、昇降体の中心からプーリからずらして配置する場合を含めて様々な仕様に対応することが可能なエレベータ装置の釣合いおもり及びエレベータ装置を提供する。  昇降体が釣合いおもり１の場合、釣合いおもり枠２の上枠２ｃに固定され、上枠２ｃの上部に水平面を形成する厚手プレート５と、略Ｕの字状の断面を有し、Ｕの字の底部が厚手プレート５の水平面に装着されるＵの字プレート７と、Ｕの字プレート７の底部を厚手プレート５に固定する複数の取り付けボルト６と、Ｕの字プレートの立ち上がり部に固定されたプーリ４の軸４ａを支持するブラケット３とを備え、厚手プレート５には複数の取り付けボルト６が螺合される複数の雌ねじ穴８が形成され、厚手プレート５に形成される雌ねじ穴８の位置を変更することにより、Ｕの字プレート７の装着位置を変更可能とする。
2018100615.tif 000002
【特許請求の範囲】
【請求項１】
乗りかごと、釣合いおもりと、巻上機と、主ロープを備え、前記巻上機により前記主ロープを駆動して前記乗りかごと前記釣合いおもりを相対的に昇降させるエレベータ装置であって、前記乗りかごまたは前記釣合いおもりの上に前記主ロープが巻き掛けられるプーリが取り付けられたエレベータ装置において、
前記乗りかごまたは前記釣合いおもりを構成する枠体の上枠に固定され、前記上枠の上部に水平面を形成する厚手プレートと、
略Ｕの字状の断面を有し、Ｕの字の底部が前記厚手プレートの前記水平面に装着されるＵの字プレートと、
前記Ｕの字プレートの底部を前記厚手プレートに固定する複数の取り付けボルトと、
前記Ｕの字プレートの立ち上がり部に固定された前記プーリの軸を支持するブラケットとを備え、
前記厚手プレートには前記複数の取り付けボルトが螺合される複数の雌ねじ穴が形成されていることを特徴とするエレベータ装置。
【請求項２】
請求項１に記載のエレベータ装置において、
前記厚手プレートに形成される複数の雌ねじ穴は、前記厚手プレートを貫通しないように形成された雌ねじ穴であることを特徴とするエレベータ装置。
【請求項３】
請求項１または２に記載のエレベータ装置において、
前記厚手プレートは、前記上枠を真上から見た場合、前記上枠から突出するように前記上枠の幅よりも大きい幅を有することを特徴とするエレベータ装置。
【請求項４】
請求項３に記載のエレベータ装置において、
前記厚手プレートは、前記上枠に固定された複数の支持部材を介して前記上枠に固定され、
前記複数の支持部材は、前記上枠の内側に配置された第一支持部材と、前記上枠の外側に配置された第二支持部材を備え、
前記第二支持部材により前記厚手プレートの前記上枠から突出した部分を支持することを特徴とするエレベータ装置。
【請求項５】
請求項４に記載のエレベータ装置において、
前記プーリは、前記枠体を真上から見た場合、前記枠体の中心からずれた位置で前記枠体に対して傾斜して配置され、前記プーリの配置位置に応じて前記厚手プレートに前記雌ねじ穴が形成されていることを特徴とするエレベータ装置。
【請求項６】
請求項１に記載のエレベータ装置において、
前記Ｕの字プレートは、前記底部において分割されていることを特徴とするエレベータ装置。
【請求項７】
請求項１に記載のエレベータ装置において、
前記ブラケットと前記Ｕの字プレートとは一体物として形成されていることを特徴とするエレベータ装置。
【請求項８】
エレベータ装置の釣合いおもりであって、
Ｕの字状の断面形状を有し、開口側が互いに向き合うように配置された一対の縦枠、前記一対の縦枠の下端部を連結する下枠、および前記縦枠の上端部を連結する上枠から構成される釣合いおもり枠と、
前記釣合いおもり枠に積載されるウェートと、
前記上枠の上面に設けられ、主ロープが巻き掛けられるプーリと、
前記上枠に固定され、前記上枠の上部に水平面を形成する厚手プレートと、
略Ｕの字状の断面を有し、Ｕの字の底部が前記厚手プレートの前記水平面に装着されるＵの字プレートと、
前記Ｕの字プレートの底部を前記厚手プレートに固定する複数の取り付けボルトと、
前記Ｕの字プレートの立ち上がり部に固定された前記プーリの軸を支持するブラケットとを備え、
前記厚手プレートには前記複数の取り付けボルトが螺合される複数の雌ねじ穴が形成されていることを特徴とするエレベータ装置の釣合いおもり。
【発明の詳細な説明】
【技術分野】
【０００１】
本発明は、エレベータ装置の釣合いおもり及びエレベータ装置に関する。
【背景技術】
【０００２】
エレベータ装置は、建屋に形成される昇降路に、主ロープによりつるべ式に懸架される乗りかごおよび釣合いおもりを備える。昇降路寸法の縮小化により、昇降路内機器との干渉を避けるため、釣合いおもり本体の水平面上で釣合いおもり枠の辺に対し角度が発生するようにおもり用プーリを傾斜させて取り付ける場合がある。【０００３】
従来、乗りかごや釣合いおもりといった昇降体に取り付けられるプーリの傾斜角度を変更可能とするものとして、特許文献１に開示されたエレベータの吊り車装置がある。特許文献１では、昇降路内を昇降される昇降体の上部に設けられた上梁に、複数の締結具により取付板を固定し、取付板に吊り車軸を支持する軸支持部材を固定し、取付板に締結具が通される複数の挿通孔を設け、取付板を上梁に固定するために用いる挿通孔を選択することにより、真上から見た吊り車軸の上梁に対する傾斜角度を変更、および、昇降体の中心に吊り車を配置できるようにしている。
【先行技術文献】
【特許文献】
【０００４】
【特許文献１】特開２０１５−１３６９９号公報
【発明の概要】
【発明が解決しようとする課題】
【０００５】
ところで、近年、さらなる昇降路寸法の縮小化により、釣合いおもり直上に巻上機を配置できず、これに伴い、おもり用プーリを釣合いおもり本体の中心からずらし、かつ、おもり用プーリを傾斜させて取り付ける構造が増えている。しかしながら、特許文献１に記載のものは、昇降体の中心にプーリを配置することを目的とするものであり、おもり用プーリを釣合いおもり本体の中心からずらして配置することについては考慮されていない。【０００６】
本発明は、昇降体の上に取り付けられるプーリの取り付けに関して、昇降体の中心からプーリからずらして配置する場合を含めて様々な仕様に対応することが可能なエレベータ装置の釣合いおもり及びエレベータ装置を提供することを目的とする。
【課題を解決するための手段】
【０００７】
本発明は、乗りかごまたは釣合いおもりの上に主ロープが巻き掛けられるプーリが取り付けられたエレベータ装置において、乗りかごまたは釣合いおもりを構成する枠体の上枠に固定され、上枠の上部に水平面を形成する厚手プレートと、略Ｕの字状の断面を有し、Ｕの字の底部が厚手プレートの水平面に装着されるＵの字プレートと、Ｕの字プレートの底部を厚手プレートに固定する複数の取り付けボルトと、Ｕの字プレートの立ち上がり部に固定されたプーリの軸を支持するブラケットとを備え、厚手プレートには複数の取り付けボルトが螺合される複数の雌ねじ穴が形成され、厚手プレートに形成される雌ねじ穴の位置を変更することにより、Ｕの字プレートの装着位置を変更可能としたことを特徴とする。
【発明の効果】
【０００８】
本発明によれば、昇降体の上に取り付けられるプーリの取り付けに関して昇降体の中心からプーリからずらして配置する場合を含めて様々な仕様に対応することが可能となる。  
なお、上述した以外の課題、構成および効果は、以下の実施形態の説明により明らかにされる。
【図面の簡単な説明】
【０００９】
【図１】本発明の一実施形態に係るエレベータ装置の釣合いおもりを示す正面図である。
【図２】図１に示す釣合いおもりの上面図である。
【図３】図１に示すおもり用プーリ部分の縦断面図である。
【図４】図１に示す釣合いおもりのＵの字プレートの厚手プレートへの装着状態を示す上面図である。
【図５】図１に示す釣合いおもりの厚手プレートの釣合いおもり枠への固定状態を示す縦断面図である。
【図６】本発明の一実施形態の釣合いおもりが適用されるエレベータ装置の一例を示す模式図である。
【発明を実施するための形態】
【００１０】
以下、本発明のエレベータ装置の釣合いおもり及びエレベータ装置を実施するための形態について、図１乃至図６を参照して説明する。なお、各図において同一または類似の構成には同じ符号を付して繰り返しの説明は省略する。また、本実施形態では、昇降体の上に取り付けられるプーリの取り付けに関して、昇降体として釣合いおもりを例にして説明するが、乗りかごの上に取り付けられるプーリの取り付けにも本発明を適用できる。
【００１１】
エレベータ装置は、例えば、図６に示すように、乗りかご２００、巻上機３００、主ロープ５００、釣合いおもり１を主な構成要素として構成されている。乗りかご２００の下部にはかご下プーリ６０１，６０２が設けられている。巻上機３００は昇降路の底部に設置されている。昇降路の頂部付近には固定板７００が設けられ、主ロープ５００の端部９０１，９０２が連結されている。また、固定板７００には、転向プーリ８０１，８０２が取り付けられている。釣合いおもり１にはおもり用プーリ４が取り付けられている。主ロープ５００は、一方の端部９０１が固定板７００に連結され、巻上機３００のシーブ、転向プーリ８０１、かご下プーリ６０１，６０２、転向プーリ８０２、おもり用プーリ４が順に巻き掛けられて、他方の端部９０２が固定板７００に連結されている。巻上機３００により主ロープ５００を駆動すると、乗りかごガイドレール（図示省略）に沿って乗かご２００が昇降すると共に、この乗かご２００の昇降に相対して釣合いおもり１が釣合いおもりガイドレール（図示省略）に沿って昇降する。なお、エレベータ装置の構成は、これに限定されるものではない。各プーリ及び巻上機の配置は、エレベータ装置の仕様に応じて適宜変更される。
【００１２】
次に、図１〜図５を用いて、本発明の一実施形態に係るエレベータ装置の釣合いおもり１の詳細構造を説明する。  
図１は、本発明の一実施形態に係るエレベータ装置の釣合いおもりの上部の正面図である。図２は、図１に示す釣合いおもりの上面図である。  
釣合いおもり１は、両側に配置された一対の縦枠２ａ，２ｂ、縦枠２ａ，２ｂの上端部を連結する上枠２ｃおよび縦枠２ａ，２ｂの下端部を連結する下枠（図示省略）を有する釣合いおもり枠２と、上枠２ｃにブラケット体３を介して取り付けられ、主ロープ（図示省略）が巻き掛けられるおもり用プーリ４とを備えている。
【００１３】
釣合いおもり枠２には、乗りかごの自重に応じて複数のウェート（図示省略）が積載され、釣合いおもり枠２およびウェートで釣合いおもり本体を構成している。  
縦枠２ａ，２ｂは、図２に示すように、それぞれＵ字状の断面形状を有しており、それぞれの立ち上がり部（または開口部）が互いに向き合うように配置されている。  
上枠２ｃは、２枚の板材が対となって配置されており、その両端がボルト１４により縦枠２ａ，２ｂの立ち上がり部に固定されている。
【００１４】
図３は、本実施形態におけるおもり用プーリ部分の縦断面図である。  
ブラケット体３は、対となって配置された、おもり用プーリ４の軸４ａを軸支する縦板材３ａ，３ｂと、縦板材３ａ，３ｂの上部を連結する連結材３ｃなどから構成されている。
【００１５】
おもり用プーリ４は、主ロープが巻き掛けられるロープ溝を有し、ブラケット体３に軸４ａを介して回転可能に支持されている。なお、おもり用プーリ４の下方には、主ロープ外れ止め１３が縦板材３ａ，３ｂに取り付けられて設けられている。
【００１６】
次に、本実施形態のエレベータ装置における、釣合いおもり本体に対するおもり用プーリ４の取り付けに関して、様々なエレベータ装置の仕様に対応するため構造について説明する。  
本実施形態のエレベータ装置の釣合いおもりでは、おもり用プーリ４の位置や釣合いおもり本体に対する水平面内での傾斜の自由度を向上させるため、厚手プレート５、Ｕの字プレート７、ブラケット体３を介して、おもり用プーリ４を釣合いおもり本体の上部（上枠２ｃ）に取り付けている。本実施形態では、先ず、厚手プレート５を上枠２ｃにしっかりと固定している。言い換えれば、厚手プレート５は、おもり用プーリの配置仕様に応じて上枠２ｃへの取り付けを変更しなくても良い構成である。そして、本実施形態では、ブラケット体３を支持するＵの字プレート７の厚手プレート５への取り付けを、おもり用プーリの位置や釣合いおもり本体に対する水平面内での傾斜を変えて、おもり用プーリの配置仕様に対応するようにしている。そして、本実施形態では、Ｕの字プレート７の厚手プレート５への取り付けの自由度を向上させるため、厚手プレート５に雌ねじ穴を形成し、この雌ねじ穴にねじ込ボルトを螺合させることによりＵの字プレート７を厚手プレート５に対して装着・固定するようにしている。
【００１７】
以下、図面を用いて詳細に説明する。図４は、本実施形態に係る釣合いおもりのＵの字プレート７の厚手プレート５への装着状態を示す上面図である。図５は、本実施形態における厚手プレート５の釣合いおもり枠２への固定状態を示す縦断面図である。
【００１８】
本実施形態では、厚手プレート５は、おもり用プーリの取り付け基礎となるもので、図５に示すように、所定の厚さ寸法Ｈ１を有し、上枠２ｃ上部に水平面を形成するように上枠２ｃに取り付けられる。本実施形態では、厚手プレート５は、一方の上枠２ｃから突出した形となっている。これは、巻上機配置の関係上、おもり用プーリ４を釣合いおもり本体の中心からずらして配置する仕様に対応するためである。言い換えれば、本実施形態では、おもり用プーリ４の様々な配置仕様に対応するために、厚手プレート５の幅が一対の上枠２ｃ間の幅よりも大きい。
【００１９】
厚手プレート５を上枠２ｃへ堅牢に固定するため、本実施形態では、図５に示すように、略Ｕの字状の断面（図５の図面上、逆Ｕの字状の断面）を有し上枠２ｃ間に配置される第１支持材９と、略Ｌの字状の断面（図５の図面上、逆Ｌの字状の断面）を有し片方の上枠２ｃの側面に配置される第２支持部材１０を用いている。第２支持部材１０は、厚手プレート５が上枠２ｃから突出した形となっているため、突出した部分の強度を保つために用いられている。
【００２０】
厚手プレート５は、図５に示すように、対となる上枠２ｃに厚手プレート５が載置された状態で、第１支持材９と第２支持部材１０とに複数の固定ボルト１１（通しボルトとナット）を用いて固定されている。第１支持材９の一方の立ち上がり部（図５の図面上、下方に伸びた部分）と一方の上枠２ｃが複数の固定ボルト１１（通しボルトとナット）を用いて固定され、第１支持材９の他方の立ち上がり部（図５の図面上、下方に伸びた部分）、他方の上枠２ｃ及び第２支持部材１０の立ち上がり部（図５の図面上、下方に伸びた部分）が複数の固定ボルト１１（通しボルトとナット）を用いて固定されている。このようにして、厚手プレート５は、上枠２ｃへ堅牢に固定され、突出した部分も含めて十分な強度を有する。なお、本実施形態の厚手プレート５は、特許文献１に記載の取付板とは異なり、おもり用プーリの配置仕様に応じて上枠２ｃに対する取り付け位置が変更されるものではない。
【００２１】
本実施形態では、厚手プレート５は、他の部材、すなわち、縦枠、上枠などよりも大きな厚みを有している。ここで、厚手プレートの所定の厚さとは、おもり用プーリ４の固定について十分な強度を有するように設計される厚さである。本実施形態では、後述のように、Ｕの字プレート７の厚手プレート５への取り付けボルト６としてねじ込みボルトを用いており、厚手プレート５には取り付け穴（雌ねじ穴）８が形成されている。したがって、必要な固定強度を確保するために、厚手プレート５の厚さは、取り付け穴（雌ねじ穴）の有効長さ（有効深さ）を確保できるものとすることが望ましい。したがって、厚手プレート５の厚さは、取り付けボルト６の本数などを考慮して設計される取り付けボルト６の有効径と同程度の厚みを確保するのが望ましい。
【００２２】
なお、厚手プレート５を第１支持材９と第２支持部材１０に固定する複数の固定ボルト１１は、おもり用プーリ４の配置仕様の変更の影響を受けない位置に取り付けられる。具体的には厚手プレート５の四隅付近に複数の固定ボルト１１が位置しており、後述のＵの字プレート７の厚手プレート５の水平面内での配置位置の変更を容易にしている。
【００２３】
次に、ブラケット体３を支持するＵの字プレート７の厚手プレート５への取り付けについて説明する。本実施形態では、Ｕの字プレート７は、略Ｕの字状の断面を有し、水平部（底部）が厚手プレート５の水平面に装着されている。Ｕの字プレート７は、立ち上がり部（立ち上がり辺）にてブラケット体３を支持している。すなわち、Ｕの字プレート７の立ち上がり部に、ブラケット体３の縦板材３ａ，３ｂの下端部が複数の固定ボルト１２により固定されている。Ｕの字プレート７の水平部と立ち上がり部とは直角に形成されてもＲ部でつながるようにしても良い。
【００２４】
Ｕの字プレート７は、例えば、図４に示すように、真上から見て釣合いおもり本体に対して所定の角度をもって厚手プレート５に装着される。これは、Ｕの字プレート７により支持されるおもり用プーリ４を、巻上機配置の関係上、斜めに配置する仕様に対応するためである。
【００２５】
Ｕの字プレート７の厚手プレート５への取り付けは、図３及び図４に示すように、複数本の取り付けボルト（ねじ込みボルト）６により行っている。本実施形態では８本の取り付けボルト６を用いている。
【００２６】
厚手プレート５には、おもり用プーリ４の配置仕様に対応した位置に、取り付けボルト６をねじ込む複数の取り付け穴（雌ねじ穴）８がタップ加工されている。そして、Ｕの字プレート７の水平部には、取り付け穴８との対向位置に、取り付けボルト６が挿通される挿通孔が形成されている。
【００２７】
挿通孔に取り付けボルト６を挿通させた状態で、取り付けボルト（ねじ込みボルト）６を厚手プレート５の取り付け穴（雌ねじ穴）８に螺合することでＵの字プレート７は厚手プレート５に装着・固定される。
【００２８】
本実施形態のように、厚手プレート５に雌ねじ穴を形成しねじ込ボルトを用いてＵの字プレート７を装着・固定することにより、厚手プレート５の水平面内において略任意の位置にＵの字プレート７を取り付けることができる。すなわち、取り付けボルト６としてねじ込みボルトを用いて取り付けボルト６を厚手プレート５の取り付け穴８である雌ねじ穴に螺合させるようにすれば、取り付けボルト６の位置を決める際に、釣合いおもり本体（特に釣合いおもり枠）との干渉を基本的に考慮する必要がなくなり、取り付けボルトの位置を、おもり用プーリ４の配置仕様に対応させて設定することができる。釣合いおもり本体（特に釣合いおもり枠）との干渉を確実になくすためには、厚手プレート５に形成される取り付けボルト６の取り付け穴（雌ねじ穴）８は、図３に示すように、厚手プレート５を貫通しない非貫通穴とすることが望ましい。これによって、取り付けボルト６によりＵの字プレート７を厚手プレート５に装着する際、取り付けボルト６の先端部が厚手プレート５から突出しない構造となり、取り付けボルト６が釣合いおもり本体と干渉することを確実に防ぐことができる。これにより、取り付けボルト６の配置について、釣合いおもり本体との位置関係を考慮する必要がなくなるので、取り付けボルト６の配置を自由に設定することができる。したがって、図４に示すように、取り付けボルト６を均等配置することができ、各取り付けボルト６の受ける荷重を均等にすることができる。これによって、強度の高いおもり用プーリの取り付け構造とすることができる。なお、取り付けボルト６に代えて植え込みボルトとナットを用いるようにしても良い。
【００２９】
なお、取り付けボルト６の配置位置の自由度を向上させるためには、本実施形態のように、Ｕの字プレート７を用いて水平部に取り付けボルト６の挿通孔を形成することが重要である。例えば、Ｌの字プレートを二つ組合せて、水平部（底部）が対向する側とは反対側に伸びるようにした場合、取り付けボルト６の設置範囲が広くなり過ぎ、Ｌの字プレートの水平部と固定ボルト１１の頭部との干渉が生じやすくなり、厚手プレート５の水平面内での位置変更を困難にするからである。取り付けボルト６の設置範囲をＵの字プレート７と同様にするという観点では、Ｌの字プレートを二つ組み合わせて水平部が対向するように設置する場合が考えられる（例えば、図４に示すＵの字プレート７を二分割した場合が相当する。）。但し、この場合、二つのＬの字プレートの平行度を保つようにしなければならず、取扱い性が低下するので、Ｕの字プレート７がより望ましい。
【００３０】
本実施形態にあっては、据え付けられるエレベータ装置の仕様に応じて、あらかじめ厚手プレート５にタップ加工、すなわち取り付けボルト６の取り付け穴（雌ねじ穴）８を形成している。本実施形態のエレベータ装置の仕様は、おもり用プーリ４を釣合いおもり本体の中心からずらし、かつ、おもり用プーリ４を傾斜させて取り付けるものである。このように厚手プレート５における取り付け穴８の形成位置が釣合いおもり本体に対するおもり用プーリ４の位置を決定するものとなる。この後、Ｕの字プレート７の水平部を厚手プレート５の水平面に対向させ、Ｕの字プレート７の挿通孔と厚手プレート５の取り付け穴８とを合わせ、挿通孔に取り付けボルト６を挿通させた状態で、取り付けボルト６を厚手プレート５の取り付け穴８に螺合し、Ｕの字プレート７を厚手プレート５に装着・固定する。次いで、Ｕの字プレート７の立ち上がり部に、ブラケット体３の縦板材３ａ，３ｂの下端部を固定ボルト１２により固定する。これらの構造により、釣合いおもり本体におもり用プーリ４が取り付けられる。
【００３１】
上述したように、本実施形態では、釣合いおもり本体へのおもり用プーリ４の取り付けについて、上枠２ｃに固定され上枠２ｃ上部に水平面を形成する厚手プレート５と、略Ｕの字状の断面を有し水平部が厚手プレートの水平面に取り付けボルト６を介して装着されるとともに、立ち上がり部にてブラケット体３を支持するＵの字プレート７とを備えている。そして、厚手プレート５に形成される取り付けボルト６の取り付け穴８位置を変更することにより、Ｕの字プレート７の装着位置を変更可能としている。これらによって、釣合いおもり本体に対するおもり用プーリ４の取り付けに関して様々な仕様に対応することができる。言い換えれば、厚手プレート５とＵの字プレート７とを組み合わせ、Ｕの字プレート７を取り付けボルト（ねじ込みボルト）６により厚手プレート５へ装着する固定構造とすることにより、Ｕの字プレート７の装着位置変更を容易に可能とし、ひいてはおもり用プーリ４の釣合いおもり本体に対する芯ずれ取り付けや斜め取り付けに容易に対応可能としている。これによって、複数の仕様のエレベータ装置間で部品の共通化を図り、コスト低減を図ることができる。
【００３２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【００３３】
例えば、上述した実施形態では、厚手プレート５は、一方の上枠２ｃから突出した形となっているが、本発明はこれに限ることなく、昇降路内機器と干渉しない大きさ、形状であればよい。また、Ｕの字プレート７を厚手プレート５に装着する取り付けボルト６を８本としたが、必要強度を確保できる本数であればよい。また、ブラケット体３とＵの字プレート７を一体物として構成しても良い。但し、ロープ交換の作業性などの観点から別体が望ましい。また、上述した実施形態では、昇降体として釣合いおもりを例にして説明したが、乗りかごの上にプーリを取り付けるエレベータ装置では、乗りかごの上に取り付けられるプーリの取り付けにも本発明を適用できる。
【符号の説明】
【００３４】
１…釣合いおもり，２…釣合いおもり枠，２ａ，２ｂ…縦枠，２ｃ…上枠，３…ブラケット体，４…おもり用プーリ，５…厚手プレート，６…取り付けボルト（ねじ込みボルト），７…Ｕの字プレート，８…取り付け穴（雌ねじ穴）
【図１】
2018100615.tif 000003
【図２】
2018100615.tif 000004
【図３】
2018100615.tif 000005
【図４】
2018100615.tif 000006
【図５】
2018100615.tif 000007
【図６】
2018100615.tif 000008
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
乗りかごと、釣合いおもりと、巻上機と、主ロープを備え、前記巻上機により前記主ロープを駆動して前記乗りかごと前記釣合いおもりを相対的に昇降させるエレベータ装置であって、前記乗りかごまたは前記釣合いおもりの上に前記主ロープが巻き掛けられるプーリが取り付けられたエレベータ装置において、
前記乗りかごまたは前記釣合いおもりを構成する枠体の上枠に固定され、前記上枠の上部に水平面を形成する厚手プレートと、
略Ｕの字状の断面を有し、Ｕの字の底部が前記厚手プレートの前記水平面に装着されるＵの字プレートと、
前記Ｕの字プレートの底部を前記厚手プレートに固定する複数の取り付けボルトと、
前記Ｕの字プレートの立ち上がり部に固定された前記プーリの軸を支持するブラケットとを備え、
前記厚手プレートには前記複数の取り付けボルトが螺合される複数の雌ねじ穴が形成されており、
前記厚手プレートに形成される複数の雌ねじ穴は、前記厚手プレートを貫通しないように形成された雌ねじ穴であることを特徴とするエレベータ装置。
【請求項２】
請求項１に記載のエレベータ装置において、
前記厚手プレートは、前記上枠を真上から見た場合、前記上枠から突出するように前記上枠の幅よりも大きい幅を有することを特徴とするエレベータ装置。
【請求項３】
請求項２に記載のエレベータ装置において、
前記厚手プレートは、前記上枠に固定された複数の支持部材を介して前記上枠に固定され、
前記複数の支持部材は、前記上枠の内側に配置された第一支持部材と、前記上枠の外側に配置された第二支持部材を備え、
前記第二支持部材により前記厚手プレートの前記上枠から突出した部分を支持することを特徴とするエレベータ装置。
【請求項４】
乗りかごと、釣合いおもりと、巻上機と、主ロープを備え、前記巻上機により前記主ロープを駆動して前記乗りかごと前記釣合いおもりを相対的に昇降させるエレベータ装置であって、前記乗りかごまたは前記釣合いおもりの上に前記主ロープが巻き掛けられるプーリが取り付けられたエレベータ装置において、
前記乗りかごまたは前記釣合いおもりを構成する枠体の上枠に固定され、前記上枠の上部に水平面を形成する厚手プレートと、
略Ｕの字状の断面を有し、Ｕの字の底部が前記厚手プレートの前記水平面に装着されるＵの字プレートと、
前記Ｕの字プレートの底部を前記厚手プレートに固定する複数の取り付けボルトと、
前記Ｕの字プレートの立ち上がり部に固定された前記プーリの軸を支持するブラケットとを備え、
前記厚手プレートには前記複数の取り付けボルトが螺合される複数の雌ねじ穴が形成されており、
前記厚手プレートは、前記上枠を真上から見た場合、前記上枠から突出するように前記上枠の幅よりも大きい幅を有し、
前記厚手プレートは、前記上枠に固定された複数の支持部材を介して前記上枠に固定され、
前記複数の支持部材は、前記上枠の内側に配置された第一支持部材と、前記上枠の外側に配置された第二支持部材を備え、
前記第二支持部材により前記厚手プレートの前記上枠から突出した部分を支持することを特徴とするエレベータ装置。
【請求項５】
請求項３または４に記載のエレベータ装置において、
前記プーリは、前記枠体を真上から見た場合、前記枠体の中心からずれた位置で前記枠体に対して傾斜して配置され、前記プーリの配置位置に応じて前記厚手プレートに前記雌ねじ穴が形成されていることを特徴とするエレベータ装置。
【請求項６】
請求項１または４に記載のエレベータ装置において、
前記Ｕの字プレートは、前記底部において分割されていることを特徴とするエレベータ装置。
【請求項７】
請求項１または４に記載のエレベータ装置において、
前記ブラケットと前記Ｕの字プレートとは一体物として形成されていることを特徴とするエレベータ装置。
【請求項８】
エレベータ装置の釣合いおもりであって、
Ｕの字状の断面形状を有し、開口側が互いに向き合うように配置された一対の縦枠、前記一対の縦枠の下端部を連結する下枠、および前記縦枠の上端部を連結する上枠から構成される釣合いおもり枠と、
前記釣合いおもり枠に積載されるウェートと、
前記上枠の上面に設けられ、主ロープが巻き掛けられるプーリと、
前記上枠に固定され、前記上枠の上部に水平面を形成する厚手プレートと、
略Ｕの字状の断面を有し、Ｕの字の底部が前記厚手プレートの前記水平面に装着されるＵの字プレートと、
前記Ｕの字プレートの底部を前記厚手プレートに固定する複数の取り付けボルトと、
前記Ｕの字プレートの立ち上がり部に固定された前記プーリの軸を支持するブラケットとを備え、
前記厚手プレートには前記複数の取り付けボルトが螺合される複数の雌ねじ穴が形成されており、
前記厚手プレートに形成される複数の雌ねじ穴は、前記厚手プレートを貫通しないように形成された雌ねじ穴であることを特徴とするエレベータ装置の釣合いおもり。
【請求項９】
エレベータ装置の釣合いおもりであって、
Ｕの字状の断面形状を有し、開口側が互いに向き合うように配置された一対の縦枠、前記一対の縦枠の下端部を連結する下枠、および前記縦枠の上端部を連結する上枠から構成される釣合いおもり枠と、
前記釣合いおもり枠に積載されるウェートと、
前記上枠の上面に設けられ、主ロープが巻き掛けられるプーリと、
前記上枠に固定され、前記上枠の上部に水平面を形成する厚手プレートと、
略Ｕの字状の断面を有し、Ｕの字の底部が前記厚手プレートの前記水平面に装着されるＵの字プレートと、
前記Ｕの字プレートの底部を前記厚手プレートに固定する複数の取り付けボルトと、
前記Ｕの字プレートの立ち上がり部に固定された前記プーリの軸を支持するブラケットとを備え、
前記厚手プレートには前記複数の取り付けボルトが螺合される複数の雌ねじ穴が形成されており、
前記厚手プレートは、前記上枠を真上から見た場合、前記上枠から突出するように前記上枠の幅よりも大きい幅を有し、
前記厚手プレートは、前記上枠に固定された複数の支持部材を介して前記上枠に固定され、
前記複数の支持部材は、前記上枠の内側に配置された第一支持部材と、前記上枠の外側に配置された第二支持部材を備え、
前記第二支持部材により前記厚手プレートの前記上枠から突出した部分を支持することを特徴とするエレベータ装置の釣合いおもり。
【国際調査報告】
2018100615.tif 000009
2018100615.tif 000010
2018100615.tif 000011
2018100615.tif 000012